(57)【要約】【課題】簡単かつ容易に、ゴミ袋のはみ出し部をゴミ箱本体の外側に密着させて、外観を綺麗にする。【解決手段】空き容器収納箱は、上方開口のゴミ箱本体１と、ゴミ箱本体１の開口部１０に脱着自在にセットされる蓋体２と、ゴミ箱本体１の内面から外側にはみ出し部３Ａを露出するようにセットされるゴミ袋３とを備えている。蓋体２は、空き容器の投入口２３を開口している。ゴミ箱本体１は、上部に、ゴミ袋３のはみ出し部３Ａを挿通できる貫通孔４を設けており、この貫通孔４の外側または内側にゴム板５を固定している。ゴム板５は、貫通孔４に挿通されるゴミ袋３のはみ出し部３Ａを挿通する挿通部６を設けている。挿通部６は、貫通孔４の中心から放射状に伸びる複数の切断部６Ａでもって複数の弾性挟着片５Ａを設けている。空き容器収納箱は、この弾性挟着片５Ａで、ゴミ箱本体１の貫通孔４に挿通されるはみ出し部３Ａを挟着して保持している。【選択図】図２
2010111494.tif 000002
【特許請求の範囲】
【請求項１】
上方を開口しているゴミ箱本体(1)と、このゴミ箱本体(1)の開口部(10)に脱着自在にセットされる蓋体(2)と、前記ゴミ箱本体(1)の内部にセットされてゴミ箱本体(1)と蓋体(2)とに開口縁部を挟着して、ゴミ箱本体(1)の内面からゴミ箱本体(1)の外側にはみ出し部(3A)を露出するようにセットされるゴミ袋(3)とを備え、前記蓋体(2)には飲料水容器を挿通して内部に投入される投入口(23)を開口してなる空き容器収納箱であって、
前記ゴミ箱本体(1)の上部に、前記ゴミ箱本体(1)の外側に露出するゴミ袋(3)のはみ出し部(3A)を挿通できる貫通孔(4)を設けており、この貫通孔(4)の外側または内側にゴム板(5)を固定しており、さらにこのゴム板(5)は、貫通孔(4)に挿通されるゴミ袋(3)のはみ出し部(3A)を挿通する挿通部(6)を設けており、この挿通部(6)は、前記貫通孔(4)の中心から貫通孔(4)の内周に向かって放射状に伸びる複数の切断部(6A)を有し、この切断部(6A)でもって複数の弾性挟着片(5A)を設けおり、この弾性挟着片(5A)が、前記ゴミ箱本体(1)の貫通孔(4)に挿通されるはみ出し部(3A)を挟着して保持するようにしてなる空き容器収納箱。
【請求項２】
上方を開口しているゴミ箱本体(1)と、このゴミ箱本体(1)の開口部(10)に脱着自在にセットされる蓋体(2)と、前記ゴミ箱本体(1)の内部にセットされてゴミ箱本体(1)と蓋体(2)とに開口縁部を挟着して、ゴミ箱本体(1)の内面からゴミ箱本体(1)の外側にはみ出し部(3A)を露出するようにセットされるゴミ袋(3)とを備え、前記蓋体(2)には飲料水容器を挿通して内部に投入される投入口(23)を開口してなる空き容器収納箱であって、
前記ゴミ箱本体(1)の上部に、ゴミ箱本体(1)の外側に露出するゴミ袋(3)のはみ出し部(3A)を紐状に束ねた束ね部(3a)が挿通される結束部(7)を設けており、この結束部(7)にはみ出し部(3A)の束ね部(3a)を挿通して結束するようにしてなる空き容器収納箱。
【請求項３】
前記ゴム板(5)が、挿通部(6)の中心に貫通孔(4)よりも小さい挿通孔(6B)を設けている請求項１に記載される空き容器収納箱。
【請求項４】
前記結束部(7)が、前記ゴミ箱本体(1)の外側上部に設けた結束リング(7A)である請求項２に記載される空き容器収納箱。
【請求項５】
前記ゴミ箱本体(1)がプラスチック製で、ゴミ箱本体(1)の外側に結束リング(7A)を一体的に成形して設けている請求項４に記載される空き容器収納箱。
【請求項６】
前記ゴミ箱本体(1)の外側にサドル(8)を固定して結束リング(7A)を設けている請求項４に記載される空き容器収納箱。
【請求項７】
前記結束部(7)が、前記ゴミ箱本体(1)の上部に設けた貫通部(9)と、この貫通部(9)に形成されるブリッジ部(7B)である請求項２に記載される空き容器収納箱。
【発明の詳細な説明】
【技術分野】
【０００１】
本発明は、主として自動販売機に隣接して設置されて、自動販売機で販売された飲料水の空き容器を回収して廃棄するのに使用される空き容器収納箱に関する。
【背景技術】
【０００２】
自動販売機に隣接して設置される空き容器収納箱は、投入される多数の空き容器を効率よく回収できるように、また、容器の内部の汚れを防止するために、あらかじめゴミ袋がセットされる。ゴミ袋をセットしている空き容器収納箱は、投入される空き容器がゴミ袋に収納される。したがって、ゴミ袋を取り出して、収納された全ての空き容器を回収できる。この空き容器収納箱は、図１に示すように、ゴミ箱本体９１にゴミ袋９３をセットし、ゴミ袋９３の開口縁部を蓋体９２で挟着して固定している。ゴミ袋９３は、ゴミ箱本体９１よりも大きく、開口縁部を外側に露出して、蓋体９２で挟着している。このゴミ袋９３は、外部に露出する開口縁部を大きくすることで、種々の大きさのゴミ箱本体に簡単にセットできる。ところが、ゴミ箱本体に対してゴミ袋が大きいと、図１に示すように、大きなはみ出し部９３Ａがゴミ箱本体９１の外側に密着されずに外観が悪くなる。この弊害は、ゴミ袋の開口部をゴミ箱本体の開口部にほぼ等しくして少なくできる。はみ出し部がゴミ箱本体の外側に密着できるからである。ただ、このゴミ袋は、特定の大きさのゴミ箱本体にしかセットできず、また、セットするのに手間がかかって速やかにセットできない欠点がある。このため、ゴミ袋には、ゴミ箱本体の開口部よりも相当に大きいものが使用されて、ゴミ箱本体にセットする状態では、はみ出し部がゴミ箱本体の外側に密着されない欠点がある。ゴミ箱本体の外側に密着されないはみ出し部は、風にあおられて騒音を発生し、さらにまた、風で繰り返しパタパタと振動されて破損する等の弊害が発生する。
【０００３】
この弊害を防止するための構造が開発されている。（特許文献１及び２参照）
特許文献１は、ゴミ袋の開口縁部に複数の貫通孔を設けて、この貫通孔に挿通する突出部をゴミ箱本体の外側上部に設ける構造を記載している。この構造は、ゴミ袋の貫通孔にゴミ箱本体の突出部を挿通して、ゴミ袋をゴミ箱本体にセットする。ところが、この構造は、ゴミ袋を確実に外れないようにゴミ箱本体に連結できない。とくに、屋外に設置される空き容器収納箱にあっては、風などでゴミ袋が外れる欠点がある。
【０００４】
特許文献２は、ゴミ袋をゴミ箱本体と蓋体とで挟着して固定し、ゴミ袋のはみ出し部を蓋体に設けた傘状カバーの内側に収納する構造を記載している。この構造は、はみ出し部を傘状カバーの内側に入れて保持するので、はみ出し部が自重で落ちて露出するのを確実には防止できない。とくに、屋外に設置されて強風が傘状カバーの内側に吹き込むと、はみ出し部が外部に吹き出される欠点がある。
【特許文献１】実開昭５９−１９２００１号公報
【特許文献２】実開平６−５９３０４号公報
【発明の開示】
【発明が解決しようとする課題】
【０００５】
本発明は、以上の欠点を解決することを目的に開発されたものである。本発明の重要な目的は、簡単かつ容易に、しかもゴミ袋のはみ出し部をゴミ箱本体の外側に密着させて、外観を綺麗にできる空き容器収納箱を提供することにある。
また、本発明の他の大切な目的は、風の吹く屋外に設置されても、ゴミ袋のはみ出し部をゴミ箱本体の表面に密着状態に保持できる空き容器収納箱を提供することにある。
【課題を解決するための手段及び発明の効果】
【０００６】
本発明の請求項１の空き容器収納箱は、上方を開口しているゴミ箱本体１と、このゴミ箱本体１の開口部１０に脱着自在にセットされる蓋体２と、ゴミ箱本体１の内部にセットされて、ゴミ箱本体１と蓋体２とに開口縁部が挟着されて、ゴミ箱本体１の内面からゴミ箱本体１の外側にはみ出し部３Ａを露出するようにセットされるゴミ袋３とを備えている。蓋体２は、空き容器を挿通して内部に投入する投入口２３を開口している。ゴミ箱本体１は、上部に、ゴミ箱本体１の外側に露出するゴミ袋３のはみ出し部３Ａを挿通できる貫通孔４を設けている。ゴミ箱本体１は、この貫通孔４の外側または内側にゴム板５を固定している。このゴム板５は、貫通孔４に挿通されるゴミ袋３のはみ出し部３Ａを挿通する挿通部６を設けている。この挿通部６は、貫通孔４の中心から貫通孔４の内周に向かって放射状に伸びる複数の切断部６Ａを有し、この切断部６Ａでもって複数の弾性挟着片５Ａを設けている。空き容器収納箱は、この弾性挟着片５Ａで、ゴミ箱本体１の貫通孔４に挿通されるはみ出し部３Ａを挟着して保持している。
【０００７】
本発明の請求項２の空き容器収納箱は、上方を開口しているゴミ箱本体１と、このゴミ箱本体１の開口部１０に脱着自在にセットされる蓋体２と、ゴミ箱本体１の内部にセットされて、ゴミ箱本体１と蓋体２とに開口縁部が挟着されて、ゴミ箱本体１の内面からゴミ箱本体１の外側にはみ出し部３Ａを露出するようにセットされるゴミ袋３とを備えている。蓋体２は、空き容器を挿通して内部に投入する投入口２３を開口している。ゴミ箱本体１は、上部に、ゴミ箱本体１の外側に露出するゴミ袋３のはみ出し部３Ａを紐状に束ねた束ね部３ａが挿通される結束部７を設けており、この結束部７に、はみ出し部３Ａの束ね部３ａを挿通して結束している。
なお、本明細書において、「結束部に、はみ出し部の束ね部を挿通して結束する」とは、必ずしも結束部に挿通した束ね部を括ったり結んだりして固定する状態に特定せず、結束部に挿通した束ね部を結束部に巻き付けたり圧入する等して、実質的にほどけないように連結する状態も含む広い意味で使用する。
【０００８】
本発明の請求項１と請求項２の空き容器収納箱は、簡単かつ容易に、しかもゴミ袋のはみ出し部をゴミ箱本体の表面に密着して、外観を綺麗にできる特徴がある。また、ゴミ袋のはみ出し部をゴミ箱本体の外側面に密着状態に保持できる特徴もある。
【０００９】
とくに、請求項１の空き容器収納箱は、ゴミ箱本体の外側に露出するゴミ袋のはみ出し部を挿通できる貫通孔を設けて、この貫通孔の表面にゴム板を固定し、このゴム板には、ゴミ袋のはみ出し部を押し込む挿通部を設けて、この挿通部を貫通孔の中心から貫通孔の内周に向かって放射状に伸びる複数の切断部を設けて複数の弾性挟着片を設けている。この構造は、ゴミ箱本体の貫通孔に挿通されるゴミ袋のはみ出し部を、弾性挟着片で挟着して保持する。したがって、この空き容器収納箱は、ゴミ箱本体の外部に露出するゴミ袋のはみ出し部の一部を、ゴミ箱本体の貫通孔に外側から内側に押し込んで、はみ出し部をゴミ箱本体の外側に密着できる。とくに、この構造は、はみ出し部の一部を貫通孔に挿入すると、はみ出し部が束ねられて束ね部となり、この束ね部が弾性挟着片で抜けないように保持される。このため、ゴミ袋のはみ出し部を貫通孔に挿入する極めて簡単な操作で、はみ出し部をゴミ箱本体の表面に密着し、さらにこの密着状態に保持できる特徴がある。
【００１０】
また、請求項２の空き容器収納箱は、ゴミ箱本体の外側上部に、はみ出し部を紐状に束ねた束ね部を挿通する結束部を設けており、この結束部にゴミ袋の束ね部を挿通して、これを結束することではみ出し部をゴミ箱本体の外側に密着でき、また、密着状態に保持できる。とくに、この構造は、はみ出し部を束ねて束ね部として、これを結束してゴミ箱本体に固定するので、はみ出し部を確実に外れないようにゴミ箱本体に密着して固定できる。
【００１１】
本発明の請求項３の空き容器収納箱は、ゴム板５が、挿通部６の中心に貫通孔４よりも小さい挿通孔６Ｂを設けている請求項１に記載される。
【００１２】
本発明の請求項４の空き容器収納箱は、結束部７を、ゴミ箱本体１の外側上部に設けた結束リング７Ａとしている。
【００１３】
本発明の請求項５の空き容器収納箱は、ゴミ箱本体１をプラスチック製として、ゴミ箱本体１の外側に結束リング７Ａを一体的に成形して設けている。
【００１４】
本発明の請求項６の空き容器収納箱は、ゴミ箱本体１の外側にサドル８を固定して結束リング７Ａを設けている。
【００１５】
本発明の請求項７の空き容器収納箱は、結束部７を、ゴミ箱本体１の上部に設けた貫通部９とこの貫通部９に設けたブリッジ部７Ｂとしている。
【発明を実施するための最良の形態】
【００１６】
以下、本発明の実施例を図面に基づいて説明する。ただし、以下に示す実施例は、本発明の技術思想を具体化するための空き容器収納箱を例示するものであって、本発明は空き容器収納箱を以下のものに特定しない。
【００１７】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１８】
図２ないし図１３に示す空き容器収納箱は、自動販売機に隣接して、屋外や屋内に設置されて、空き缶や空き瓶、あるいは、空になったペットボトルなどの空き容器を収納して廃棄するのに使用される。これらの図の空き容器収納箱は、上を開口しているゴミ箱本体１と、このゴミ箱本体１の開口部１０に脱着自在にセットしている蓋体２と、ゴミ箱本体１の内部にセットされるゴミ袋３とを備える。ゴミ袋３は、ゴミ箱本体１と蓋体２とで開口縁部を挟着して、ゴミ箱本体１の内面からゴミ箱本体１の外側にはみ出し部３Ａを露出するようにセットされる。
【００１９】
ゴミ箱本体１は、全体をプラスチックで成形している。図のゴミ箱本体１は、全体の形状を四角い筒状として、上に向かって内形を大きくするテーパー状に成形している。ゴミ箱本体１は、多数の空き容器を収納できるような、たとえば、内容積を３０リットル〜１００リットルとしている。このゴミ箱本体１は、上端の開口部１０には、その外側に突出するように、開口縁に沿って鍔部１２を一体的に成形して設けて、鍔部１２とゴミ箱本体１の開口部１０の周壁１１でもって、蓋体２を嵌着する段差部１３を設けている。鍔部１２は、図４の一部拡大図に示すように、断面を逆Ｌ字状として、その内側であるゴミ箱本体１の外側面との間には、下に開口するように溝部１４を設けている。さらに、ゴミ箱本体１の開口縁の周壁１１の上端には、外側に突出する凸条１５を一体的に成形して設けている。凸条１５は、鍔部１２よりも外側に突出する突出高さを低くしている。この構造のゴミ箱本体１は、ゴミ袋３を確実に外れないように、蓋体２とで挟着できる。このゴミ箱本体１は、開口部１０の段差部１３に蓋体２を脱着できるようにセットして、蓋体２とゴミ箱本体１とでゴミ袋３の開口縁部を挟着する。
【００２０】
蓋体２は、ゴミ箱本体１の開口部１０に脱着自在に連結して、ゴミ箱本体１の開口部１０を閉塞できる形状にプラスチックを成形している。蓋体２は、ゴミ箱本体１にセットされる状態で、空き容器を投入できるように、空き容器を内部に投入できる投入口２３を開口している。図の蓋体２は、ゴミ箱本体１の段差部１３に嵌着してセットできるように、下縁の外周壁２１を四角形として、上に山形に突出する形状とすると共に、前面に起立壁２２を設けて、この起立壁２２に投入口２３を開口して設けている。投入口２３を設ける前面の起立壁２２は、垂直ないしほぼ垂直な面として、投入口２３から空き容器をスムーズに挿入できるようにしている。投入口２３は、空き容器をスムーズに投入できるように、たとえば内径を６ｃｍ〜１０ｃｍとしている。さらに、蓋体２は、ゴミ箱本体１の段差部１３に嵌着できる外周壁２１を下縁に沿って設けている。外周壁２１は、内側に段差部１３の周壁１１を挿入して嵌着できる形状に成形している。正確には、蓋体２の外周壁２１は、ゴミ箱本体の周壁１１との間にゴミ袋３を挟着して、ゴミ箱本体１の段差部１３に嵌着できる形状に成形している。図の空き容器収納箱は、蓋体２をゴミ箱本体１にセットする状態で、外周壁２１の外面をゴミ箱本体１に設けている鍔部１２の外面と同一面としている。
【００２１】
さらに、図４の蓋体２は、ゴミ箱本体１の周壁１１に係止構造で連結している。この蓋体２は、図４の一部拡大断面図に示すように、外周壁２１の内側に突出する係止凸部２５を、対向する外周壁２１の内面に設けている。図の係止凸部２５は、外周壁２１の開口縁に沿って設けられた凸条で、外周壁２１の内面よりも内側に突出して設けている。図４の蓋体２は、図において左右（図２において前後）の外周壁２１の内側に係止凸部２５を設けている。この蓋体２は、係止凸部２５である凸条を、ゴミ箱本体１の周壁１１の上端に設けた凸条１５に係止して係止構造で連結される。さらに、図の蓋体２は、係止凸部２５を周壁１１の凸条１５に係止しやすいように、係止凸部２５の下方に、外周壁２１の開口縁側から係止凸部２５の上端に向かって上り勾配の傾斜リブ２６を一体成形して設けている。この構造の傾斜リブ２６は、傾斜面に沿って周壁１１の凸条１５をスライドさせて、係止凸部２５を周壁１１の凸条１５に係止できる。このように、蓋体２をゴミ箱本体１に係止構造で連結する構造は、転倒等により蓋体２がゴミ箱本体１から外れるのを有効に防止して、投入された空き容器が散乱するのを防止できる。さらに、図４に示す蓋体２は、ゴミ箱本体１から外しやすくするために、背面側の外周壁２１を外側に突出させて、突出部２７を設けている。この突出部２７は、係止凸部２５の外側に位置して設けており、突出部２７を、図の矢印Ａで示す方向に引き上げることで、係止凸部２５の係止状態を解除できるようにしている。図の突出部２７は、指先を挿入しやすいように、内側に挿入凹部２８を形成している。以上の蓋体２は、挿入凹部２８に指先を挿入する状態で、突出部２７を引き上げて、ゴミ箱本体１から簡単に取り外しできる。
【００２２】
ゴミ袋３は、プラスチックフィルムを袋状に成形して製作される。このゴミ袋３は、大きさが異なる種々のゴミ箱本体１にセットできるように、ゴミ箱本体１の内形よりも大きくしている。すなわち、ゴミ袋３は、ゴミ箱本体１の深さよりも長く、ゴミ箱本体１の内周よりも大きな袋状に成形している。大きなゴミ袋３がゴミ箱本体１にセットされると、ゴミ袋３の開口縁部はゴミ箱本体１から外部に露出してはみ出し部３Ａとなる。いいかえると、ゴミ袋３は、はみ出し部３Ａができる大きさとしている。
【００２３】
はみ出し部３Ａをゴミ箱本体１の外側面に密着させるために、図２と図３のゴミ箱本体１は、ゴミ袋３のはみ出し部３Ａを挿通する貫通孔４を上部に設けている。さらに、貫通孔４の内側にゴム板５を固定している。ゴム板５は、図５に示すように、貫通孔４に挿通されるゴミ袋３のはみ出し部３Ａを挿通する挿通部６を設けている。この挿通部６は、貫通孔４の内側にあって、貫通孔４の中心から貫通孔４の内周に向かって放射状に伸びる複数の切断部６Ａを設けて、切断部６Ａでもって複数の弾性挟着片５Ａを設けている。各々の弾性挟着片５Ａは、切断部６Ａで切り離されて、外側をゴム板５に連結している。図の挿通部６は、８列の切断部６Ａで８組の弾性挟着片５Ａを設けている。この挿通部６は、ゴミ袋３のはみ出し部３Ａをスムーズに押し込んで、確実に挟着して保持できる。ただし、挿通部には、８列よりも少なく、あるいは９列以上の切断部を設けて、８組よりも少ない、あるいは９組よりも多い弾性挟着片を設けることもできる。ただし、挿通部には、好ましくは３組以上の弾性挟着片を設けて、はみ出し部をスムーズに挿入して確実に挟着して保持できる構造とする。
【００２４】
貫通孔４は、内径を２．５ｃｍとしている。この貫通孔４は、ゴミ袋３のはみ出し部３Ａを指で簡単に挿入できる。貫通孔４は、指ではみ出し部３Ａを押して簡単に押し込みできるように、内径を好ましくは２ｃｍよりも大きくする。ただし、貫通孔４が大きすぎると、ゴミ袋３のはみ出し部３Ａを強固に挟着して保持することが難しくなるので、好ましくは５ｃｍよりも小さくする。ただし、挿通部６には、必ずしもユーザーが指ではみ出し部３Ａを挿入する必要がなく、たとえば、別に用意した専用のロッドで挿入することもできる。したがって、貫通孔４の内径は、２ｃｍ以上に特定するものではない。また、後述するゴム板を厚くすることで、貫通孔を大きくして、はみ出し部をしっかりと保持することもできるので、貫通孔の内径は５ｃｍよりも大きくすることもできる。
【００２５】
ゴム板５は、図６に示すように、それ自体の弾性で弾性挟着片５Ａでもって、押し込まれるゴミ袋３のはみ出し部３Ａを挟着する。とくに、挿通部６の弾性挟着片５Ａは、押し込まれるはみ出し部３Ａによって、先端を内側に突出させる形状に変形して、はみ出し部３Ａを挟着する。この状態で、はみ出し部３Ａを挟着する弾性挟着片５Ａは、はみ出し部３Ａに引き抜き力が作用すると、隣接する弾性挟着片５Ａとの間隔を狭くするよう変形して、はみ出し部３Ａの引き抜きを確実に阻止する。したがって、ゴム板５は、挿通部６にはみ出し部３Ａが挿入されると、挿入された状態で、弾性挟着片５Ａがはみ出し部３Ａを挟着して、抜けないように保持する。したがって、ゴミ袋３のはみ出し部３Ａを貫通孔４を押し込んで、ゴミ箱本体１の外側に密着させると、この状態に保持される。ゴミ袋３をゴミ箱本体１から取り出すときは、ゴミ袋３を強く引っ張って、貫通孔４から引き抜くことができる。
【００２６】
図２と図３に示す空き容器収納箱は、ゴミ箱本体１の対向する側面１Ａの上部に貫通孔４を開口して、これらの貫通孔４の内側にゴム板５を固定している。この構造の空き容器収納箱は、ゴミ箱本体１にセットしたゴミ袋３のはみ出し部３Ａを、ゴミ箱本体１の対向する両側から貫通孔４に押し込んでゴミ箱本体１の外側面に密着させる。したがって、ひとつの貫通孔４に押し込むはみ出し部３Ａの押し込み量を少なくしながら、バランス良くゴミ箱本体１の外側面に密着できる。ただ、本発明は、ゴミ箱本体の外側面に設ける貫通孔とゴム板を、対向する２面に特定しない。ゴミ箱本体は、１面に、あるいは３面以上に貫通孔を設けてゴム板を配置することもできる。ゴミ箱本体の１面にのみ貫通孔を設ける構造は、たとえば、ゴミ箱本体の背面に貫通孔を設けて、この内側にゴム板を配置することで、ゴミ袋のはみ出し部を押し込む部分を外側から見えなくして外観をよくできる。また、ゴミ箱本体の３面以上に貫通孔を設ける構造は、各々の貫通孔に押し込むはみ出し部の押し込み量を少なくしながら、ゴミ袋の全体をゴミ箱本体の外側面に密着できる。
【００２７】
以上の空き容器収納箱は、ゴミ袋３をゴミ箱本体１にセットして蓋体２をセットした後、はみ出し部３Ａの一部を貫通孔４に押し込んで、はみ出し部３Ａをゴミ箱本体１の外側面に密着させる。また、この密着状態に保持できる。空き容器を回収するときは、蓋体２を外し、ゴミ袋３のはみ出し部３Ａを強く引っ張って貫通孔４から引き抜いて、ゴミ箱本体１から分離して簡単に取り出しできる。
【００２８】
さらに、図７ないし図１３に示す空き容器収納箱は、はみ出し部３Ａを束ねて束ね部３ａとし、この束ね部３ａを結束して、はみ出し部３Ａをゴミ箱本体１の外側面に密着させる。このゴミ箱本体１は、外周面の上部に、ゴミ箱本体１の外側に露出するゴミ袋３のはみ出し部３Ａを紐状に束ねた束ね部３ａが挿通される結束部７を設けている。
【００２９】
図７ないし図１３に示す空き容器収納箱は、ゴミ箱本体１の対向する前面１Ｂと背面１Ｃの上部に結束部７を設けている。この構造の空き容器収納箱は、ゴミ箱本体１にセットしたゴミ袋３のはみ出し部３Ａを束ねて束ね部３ａとし、この束ね部３ａをゴミ箱本体１の対向する両面に設けた結束部７に結束して、ゴミ箱本体１の外側面に密着させる。したがって、はみ出し部３Ａをバランス良くゴミ箱本体１の外側面に密着できる。ただ、本発明は、ゴミ箱本体の外側面に設ける結束部を、対向する２面に特定しない。ゴミ箱本体は、１面に、あるいは３面以上に結束部を設けることもできる。ゴミ箱本体の１面にのみ結束部を設ける構造は、たとえば、ゴミ箱本体の背面に結束部を設けることで、はみ出し部の束ね部を結束する部分を外側から見えなくして外観をよくできる。
【００３０】
図７ないし図１１に示す結束部７は、ゴミ箱本体１の外側上部に設けた結束リング７Ａとしている。図７ないし図１０に示す結束リング７Ａは、ゴミ箱本体１を成形する工程で一体的に成形して設けている。ただし、結束リング７Ａは、図１１に示すように、ゴミ箱本体１とは別に成形したサドル８を固定して設けることもできる。
【００３１】
結束リング７Ａは、ゴミ袋３のはみ出し部３Ａを束ねた束ね部３ａを挿通して結束する。図１０に示す束ね部３ａは、結束リング７Ａに挿通すると共に、結束リング７Ａに括り付けて結束している。このように、結束リング７Ａに括り付けて結束する連結構造は、最も確実に、束ね部３ａを結束リング７Ａに外れないように連結できる。ただ、束ね部は、必ずしも結束リングに括り付けて結束する必要はなく、結束リングに巻き付けたり圧入する等して、実質的にほどけないように連結することもできる。すなわち、本明細書において、「束ね部を結束する」とは、束ね部を括ったり結んだりして固定する状態に特定せず、束ね部を巻き付けたり圧入する等して、実質的にほどけないように連結する状態も含む広い意味で使用する。図１１に示す連結構造は、束ね部３ａを結束リング７Ａに巻き付けて、外れないように連結している。この連結構造は、とくに、束ね部３ａを結束リング７Ａに複数回巻き付けることで、より確実に、外れないように連結できる。結束リング７Ａに複数回巻き付けられる束ね部３ａは、結束リング７Ａとの摩擦力が大きくなると共に、終端部が結束リング７Ａに圧入される状態で挿通されて、ほどけ難くなるからである。この連結構造は、簡単かつ容易に、束ね部３ａを結束リング７Ａに結束できる。
【００３２】
結束リング７Ａは、束ね部３ａを上下に挿通できるようにゴミ箱本体１に設けられる。また、結束リング７Ａは、ゴミ袋３のはみ出し部３Ａを束ねた束ね部３ａを挿通して結束するので、その内径を束ね部３ａを挿入できるように、約３ｃｍとしている。ただし、結束リングの内径は２〜５ｃｍとすることもできる。結束リングの内径が小さすぎると、束ね部を挿入することが難しく、また、ここに束ね部を括り付けたり、巻き付けるのが難しくなる。逆に、結束リングの内径が大きすぎると、結束リングがゴミ箱本体から大きく突出して邪魔になる。また、束ね部を巻き付けて結束する場合においては、内径が大きすぎる結束リングは、束ね部の終端部を圧入して抜けにくくする効果が小さくなる。したがって、結束リング７Ａの内径は、以上のことを考慮して前述の範囲にする。さらに、結束リング７Ａの幅は、スムーズに挿入でき、かつ十分な強度があり、さらに束ね部３ａを結束しやすいように、１ｃｍ〜２ｃｍとする。
【００３３】
以上の空き容器収納箱は、ゴミ袋３をゴミ箱本体１にセットして蓋体２をセットした後、はみ出し部３Ａの一部を束ねて束ね部３ａとし、これを結束リング７Ａに挿入して、はみ出し部３Ａをゴミ箱本体１の外側面に密着させる。さらに、この状態で束ね部３ａを結束リング７Ａに結束して、はみ出し部３Ａをゴミ箱本体１の外側面に密着状態に保持する。空き容器を回収するときは、蓋体２を外し、束ね部３ａの結束を解いて、ゴミ袋３のはみ出し部３Ａを結束リングから外し、ゴミ箱本体１からゴミ袋３を分離して簡単に取り出しできる。
【００３４】
さらに、図１２と図１３に示す結束部７は、ゴミ箱本体１の上部に設けた貫通部９と、この貫通部９に設けたブリッジ部７Ｂとしている。図１３のゴミ箱本体１は、上部にふたつの貫通部９を隣接して設けており、互いに隣接する貫通部９の間の部分をブリッジ部７Ｂとしている。ふたつの貫通部９は、上下に隣接して開口している。上側の貫通部９は、逆三角形状として、ここに挿通される束ね部３ａを下方に向かって絞り込みできるようにしており、下側の貫通部９は、円形状としている。これらの貫通部９は、束ね部３ａを挿入しやすくすると共に、ここに挿通される束ね部３ａを結束しやすくするために、内径を２〜５ｃｍとすることができる。さらに、ブリッジ部７Ｂの幅は、十分な強度としながら、束ね部３ａを結束しやすいように、５ｍｍ〜２０ｍｍとすることができる。この構造のブリッジ部７Ｂは、ゴミ箱本体１の外周面にふたつの貫通部９を開口して、簡単に設けることができる。ただ、ブリッジ部は、ひとつの貫通部を設けると共に、この貫通部の中間部に、貫通部の両側を橋渡しする部材を連結、固定して設けることもできる。
【００３５】
ブリッジ部７Ｂは、ゴミ袋３のはみ出し部３Ａを束ねた束ね部３ａを挿通して結束する。図１２に示す連結構造は、束ね部３ａをブリッジ部７Ｂに巻き付けて、外れないように連結している。この連結構造も、束ね部３ａをブリッジ部７Ｂに複数回巻き付けることで、簡単かつ容易に、しかも外れないように連結できる。ただ、束ね部は、図示しないが、ブリッジ部に括り付けて結束することもできる。
【００３６】
以上の空き容器収納箱は、ゴミ袋３をゴミ箱本体１にセットして蓋体２をセットした後、はみ出し部３Ａの一部を束ねて束ね部３ａとし、これを貫通部９に挿入して、はみ出し部３Ａをゴミ箱本体１の外側面に密着させる。さらに、この状態で束ね部３ａをブリッジ部７Ｂに結束して、はみ出し部３Ａをゴミ箱本体１の外側面に密着状態に保持する。空き容器を回収するときは、蓋体２を外し、束ね部３ａの結束を解いて、ゴミ袋３のはみ出し部３Ａを結束リングから外し、ゴミ箱本体１からゴミ袋３を分離して簡単に取り出しできる。
【産業上の利用可能性】
【００３７】
本発明の空き容器収納箱は、自動販売機に隣接して配置されて、空き容器を収納して便利に廃棄すると共に、ゴミ袋３のはみ出し部３Ａをゴミ箱本体１に密着する状態にセットして、外観を良くし、風などではみ出し部３Ａがパタパタと音を立てず、スッキリとセットする。
【図面の簡単な説明】
【００３８】
【図１】従来の空き容器収納箱を示す斜視図である。
【図２】本発明の一実施例にかかる空き容器収納箱の斜視図である。
【図３】図２に示す空き容器収納箱のゴミ箱本体と蓋体の分解斜視図である。
【図４】図２に示す空き容器収納箱の一部拡大垂直縦断面図である。
【図５】図３に示すゴミ箱本体の貫通孔とゴム板を示す断面斜視図である。
【図６】図２に示す空き容器収納箱の貫通孔部分を示す拡大断面図である。
【図７】本発明の他の実施例にかかる空き容器収納箱の斜視図である。
【図８】図７に示す空き容器収納箱の背面斜視図である。
【図９】図７に示す空き容器収納箱のゴミ箱本体と蓋体の分解斜視図である。
【図１０】束ね部を結束部に結束する状態を示す拡大斜視図である。
【図１１】束ね部を結束部に結束する他の一例を示す拡大斜視図である。
【図１２】本発明の他の実施例にかかる空き容器収納箱の斜視図である。
【図１３】図１２に示す空き容器収納箱のゴミ箱本体と蓋体の分解斜視図である。
【符号の説明】
【００３９】
１…ゴミ箱本体                １Ａ…側面
１Ｂ…前面
１Ｃ…背面
２…蓋体
３…ゴミ袋                    ３Ａ…はみ出し部
３ａ…束ね部
４…貫通孔
５…ゴム板                    ５Ａ…弾性挟着片
６…挿通部                    ６Ａ…切断部
６Ｂ…挿通孔
７…結束部                    ７Ａ…結束リング
７Ｂ…ブリッジ部
８…サドル
９…貫通部
１０…開口部
１１…周壁
１２…鍔部
１３…段差部
１４…溝部
１５…凸条
２１…外周壁
２２…起立壁
２３…投入口
２５…係止凸部
２６…傾斜リブ
２７…突出部
２８…挿入凹部
９１…ゴミ箱本体
９２…蓋体
９３…ゴミ袋                  ９３Ａ…はみ出し部
【図１】
2010111494.tif 000003
【図２】
2010111494.tif 000004
【図３】
2010111494.tif 000005
【図４】
2010111494.tif 000006
【図５】
2010111494.tif 000007
【図６】
2010111494.tif 000008
【図７】
2010111494.tif 000009
【図８】
2010111494.tif 000010
【図９】
2010111494.tif 000011
【図１０】
2010111494.tif 000012
【図１１】
2010111494.tif 000013
【図１２】
2010111494.tif 000014
【図１３】
2010111494.tif 000015